(57)【要約】【課題】本発明は、平均電力より高い電力のピーク信号を抑圧するにあたり、最大電力対平均電力比を劣化させることなく、信号品質及び隣接チャネル漏洩電力比を向上させる。【解決手段】ピーク抑圧回路Ｌは、ピーク強度が強度閥値より大きいピーク信号を入力信号中に検出するピーク信号検出部４と、ピーク信号検出部４が検出したピーク信号のピーク時刻でのインパルス信号を生成するインパルス信号生成部５と、インパルス信号生成部５が生成したインパルス信号に対して、信号間隔が間隔閥値より広くなるように間引きを行うインパルス信号間引き部１３と、インパルス信号間引き部１３での間引き後のインパルス信号に対して、入力信号の帯域の範囲内で帯域制限を行うインパルス信号帯域制限部８と、インパルス信号帯域制限部８での帯域制限後のインパルス信号を入力信号から減算し、入力信号中のピーク信号を抑圧するピーク信号抑圧部１０と、を備える。【選択図】図３
2014027342.tif 000002
【特許請求の範囲】
【請求項１】
ピーク強度が強度閥値より大きいピーク信号を入力信号中に検出し、検出した前記ピーク信号のピーク時刻でのインパルス信号を生成するインパルス信号生成部と、
前記インパルス信号生成部が生成した前記インパルス信号に対して、信号間隔が間隔閥値より広くなるように間引きを行うインパルス信号間引き部と、
前記インパルス信号間引き部での間引き後の前記インパルス信号に対して、前記入力信号の帯域の範囲内で帯域制限を行うインパルス信号帯域制限部と、
前記インパルス信号帯域制限部での帯域制限後の前記インパルス信号を前記入力信号から減算し、前記入力信号中の前記ピーク信号を抑圧するピーク信号抑圧部と、
を備えることを特徴とするピーク抑圧回路。
【請求項２】
前記間隔閥値は、前記入力信号中の前記ピーク信号の平均信号間隔に基づいて設定されることを特徴とする請求項１に記載のピーク抑圧回路。
【請求項３】
前記間隔閥値は、帯域制限後の１個の前記インパルス信号の時間軸上の広がりに基づいて設定されることを特徴とする請求項１又は請求項２に記載のピーク抑圧回路。
【請求項４】
前記インパルス信号間引き部は、前記間隔閥値に等しい時間範囲内において、前記インパルス信号生成部が生成した前記インパルス信号が複数存在するときには、強度が最大の前記インパルス信号を抽出する一方で、その他の前記インパルス信号を間引くことを特徴とする請求項１から請求項３のいずれかに記載のピーク抑圧回路。
【発明の詳細な説明】
【技術分野】
【０００１】
本発明は、平均電力より高い電力のピーク信号を抑圧するピーク抑圧回路に関する。
【背景技術】
【０００２】
平均電力より高い電力のピーク信号を抑圧する特許文献１のピーク抑圧回路の構成を図１に示す。特許文献１のピーク抑圧回路Ｌは、複数キャリア周波数合成部１、ＮＣＯ（Ｎｕｍｅｒｉｃａｌ  Ｃｏｎｔｒｏｌｌｅｄ  Ｏｓｃｉｌｌａｔｏｒ）発生部２、ＩＱ二乗和計算部３、ピーク信号検出部４、インパルス信号生成部５、遅延回路６、キャリア毎重み付け部７、インパルス信号帯域制限部８、遅延回路９、ピーク信号抑圧部１０、遅延回路１１及び複数キャリア周波数合成部１２から構成される。
【０００３】
ピーク抑圧回路Ｌは、複数（図１では、ｎ＝１、２の２系列）のベースバンド信号Ｉｎｐｕｔ−ＩＱｎを入力され、マルチキャリア信号Ｏｕｔｐｕｔ−ＩＱを出力する。マルチキャリア信号Ｏｕｔｐｕｔ−ＩＱは、平均電力より高い電力のピーク信号を抑圧される。
【０００４】
複数キャリア周波数合成部１は、ベースバンド信号Ｉｎｐｕｔ−ＩＱｎを入力され、入力されたベースバンド信号Ｉｎｐｕｔ−ＩＱｎを利用して、ＮＣＯ発生部２から入力されたキャリア信号Ｆｎを変調し、変調したキャリア信号Ｆｎを合成して、マルチキャリア信号ＩＱを生成する。ＩＱ二乗和計算部３は、複数キャリア周波数合成部１から入力されたマルチキャリア信号ＩＱに対して、ＩＱ二乗和つまり信号電力Ａを計算する。
【０００５】
ピーク信号検出部４は、ＩＱ二乗和計算部３から入力された信号電力Ａの情報に対して、サンプリングを実行して、ピーク強度が強度閥値より大きいピーク信号Ｐを検出する。インパルス信号生成部５は、ピーク信号検出部４から入力されたピーク信号Ｐに対して、ピーク信号Ｐのピーク時刻でのインパルス信号Ｉを生成する。インパルス信号Ｉの信号強度は、強度閥値をピーク強度から減算した信号強度に比例する。
【０００６】
キャリア毎重み付け部７は、インパルス信号生成部５から入力されたインパルス信号Ｉに対して、（各ベースバンド信号ＩＱｎの信号強度）／（マルチキャリア信号ＩＱの信号強度）に比例する、各ベースバンド信号ＩＱｎに適用される各インパルス信号Ｉｎを計算する。遅延回路６は、ベースバンド信号Ｉｎｐｕｔ−ＩＱｎを入力され、複数キャリア周波数合成部１、ＩＱ二乗和計算部３、ピーク信号検出部４及びインパルス信号生成部５での処理時間だけ、ベースバンド信号ＩＱｎをキャリア毎重み付け部７に遅延出力する。
【０００７】
インパルス信号帯域制限部８は、キャリア毎重み付け部７から入力された各インパルス信号Ｉｎに対して、各ベースバンド信号ＩＱｎの帯域の範囲内で帯域制限を行って、各ベースバンド信号ＩＱｎに適用される各インパルス信号ＬＩｎを計算する。
【０００８】
ピーク信号抑圧部１０は、インパルス信号帯域制限部８から入力された各インパルス信号ＬＩｎを各ベースバンド信号ＩＱｎから減算して、強度を抑圧した各ベースバンド信号ＬＩＱｎを計算する。遅延回路９は、ベースバンド信号Ｉｎｐｕｔ−ＩＱｎを入力され、遅延回路６、キャリア毎重み付け部７及びインパルス信号帯域制限部８での処理時間だけ、ベースバンド信号ＩＱｎをピーク信号抑圧部１０に遅延出力する。
【０００９】
複数キャリア周波数合成部１２は、ピーク信号抑圧部１０から入力されたベースバンド信号ＬＩＱｎを利用して、ＮＣＯ発生部２から後述する遅延回路１１を介して入力されたキャリア信号Ｆｎを変調し、変調したキャリア信号Ｆｎを合成して、マルチキャリア信号Ｏｕｔｐｕｔ−ＩＱを生成する。遅延回路１１は、ＮＣＯ発生部２からキャリア信号Ｆｎを入力され、遅延回路９及びピーク信号抑圧部１０の処理時間だけ、キャリア信号Ｆｎを複数キャリア周波数合成部１２に遅延出力する。
【００１０】
ここで、他の技術として、各ベースバンド信号ＩＱｎに対してピーク信号を検出することも考えられる。しかし、他の技術では、各ベースバンド信号ＩＱｎでは、ピーク信号が抑圧されたとしても、マルチキャリア信号Ｏｕｔｐｕｔ−ＩＱでは、ピーク信号が抑圧されないことが考えられる。そこで、特許文献１では、マルチキャリア信号ＩＱに対してピーク信号を検出するのである。よって、最大電力対平均電力比（ＰＡＰＲ：Ｐｅａｋ−ｔｏ−Ａｖｅｒａｇｅ  Ｐｏｗｅｒ  Ｒａｔｉｏ）が改善される。
【００１１】
そして、特許文献１では、各インパルス信号Ｉｎに対して、各ベースバンド信号ＩＱｎの帯域の範囲内で、帯域制限を行う。よって、隣接チャネル漏洩電力比（ＡＣＬＲ：Ａｄｊａｃｅｎｔ  Ｃｈａｎｎｅｌ  Ｌｅａｋａｇｅ  Ｒａｔｉｏ）が改善される。
【先行技術文献】
【特許文献】
【００１２】
【特許文献１】特開２０１０−０５０７６５号公報
【発明の概要】
【発明が解決しようとする課題】
【００１３】
特許文献１のインパルス信号の帯域制限の処理を図２に示す。図２に示した処理は、インパルス信号帯域制限部８で実行される。図２の上段に示した信号は、各ベースバンド信号ＩＱｎに適用される各インパルス信号Ｉｎである。図２の下段に示した信号は、各ベースバンド信号ＩＱｎに適用される各インパルス信号ＬＩｎである。
【００１４】
ここで、ピーク強度が強度閥値より大きいピーク信号が、時間軸上で密集することが考えられる。例えば、マルチキャリア信号の帯域が、周波数軸上で互いに離れた複数のシングルキャリア信号の狭い帯域を含むことが挙げられる。
【００１５】
このとき、帯域制限前のインパルス信号Ｉｎ（ｔ１）、Ｉｎ（ｔ２）、Ｉｎ（ｔ３）は、時間軸上で密集している。すると、帯域制限後のインパルス信号ＬＩｎ（ｔ１）、ＬＩｎ（ｔ２）、ＬＩｎ（ｔ３）は、時間軸上で重なり合う。ここで、ピーク信号抑圧部１０は、帯域制限後のインパルス信号ＬＩｎ（ｔ１）、ＬＩｎ（ｔ２）、ＬＩｎ（ｔ３）の重ね合わせ信号を、ベースバンド信号ＩＱｎから減算する。
【００１６】
よって、ピーク信号抑圧部１０は、ベースバンド信号ＩＱｎ中のピーク信号を過剰に抑圧するため、信号品質（例えば、ＥＶＭ（Ｅｒｒｏｒ  Ｖｅｃｔｏｒ  Ｍａｇｎｉｔｕｄｅ））を劣化させる問題があった。そして、ピーク信号抑圧部１０は、帯域制限後のインパルス信号が時間軸上で重なり合うときには、帯域制限後のインパルス信号が時間軸上で離れているときより、帯域制限後の１個のインパルス信号の時間軸上の広がりが大きく見えるため、ＡＣＬＲを劣化させる問題があった。
【００１７】
さらに、以下に説明の問題もあった。特許文献１では、ベースバンド信号ＩＱｎから帯域制限後のインパルス信号を減算することにより、ベースバンド信号ＩＱｎ中のピーク信号を抑圧するため、ピークでのサンプル及びピークの近傍でのサンプルにおいて、ベースバンド信号ＩＱｎ及び帯域制限後のインパルス信号は同符号であることが前提である。
【００１８】
ここで、ベースバンド信号ＩＱｎ中にピーク信号が密集していなければ、ピークでのサンプル及びピークの近傍でのサンプルにおいて、ベースバンド信号ＩＱｎ及び帯域制限後のインパルス信号が異符号となる確率は低くなる。しかし、ベースバンド信号ＩＱｎ中にピーク信号が密集しているならば、ピークの近傍でのサンプルにおいて、ベースバンド信号ＩＱｎ及び帯域制限後のインパルス信号が異符号となる確率は高くなる。
【００１９】
よって、ベースバンド信号ＩＱｎから帯域制限後のインパルス信号を減算した結果、サンプル電力値が減算後では減算前より大きくなるサンプルが現われることがあるため、設定閥値に対してＰＡＰＲの改善効果があまり得られなくなってしまう。
【００２０】
そこで、前記課題を解決するために、本発明は、平均電力より高い電力のピーク信号を抑圧するピーク抑圧回路において、最大電力対平均電力比を劣化させることなく、信号品質及び隣接チャネル漏洩電力比を向上させることを目的とする。
【課題を解決するための手段】
【００２１】
上記目的を達成するために、信号間隔が間隔閥値より広くなるような間引きの後のインパルス信号に対して、入力信号の帯域の範囲内で帯域制限を行うこととした。
【００２２】
本発明は、ピーク強度が強度閥値より大きいピーク信号を入力信号中に検出し、検出した前記ピーク信号のピーク時刻でのインパルス信号を生成するインパルス信号生成部と、前記インパルス信号生成部が生成した前記インパルス信号に対して、信号間隔が間隔閥値より広くなるように間引きを行うインパルス信号間引き部と、前記インパルス信号間引き部での間引き後の前記インパルス信号に対して、前記入力信号の帯域の範囲内で帯域制限を行うインパルス信号帯域制限部と、前記インパルス信号帯域制限部での帯域制限後の前記インパルス信号を前記入力信号から減算し、前記入力信号中の前記ピーク信号を抑圧するピーク信号抑圧部と、を備えることを特徴とするピーク抑圧回路である。
【００２３】
この構成によれば、帯域制限後のインパルス信号が時間軸上で重なり合いにくくなるため、入力信号中のピーク信号が過剰に抑制されることがなくなり、帯域制限後の１個のインパルス信号の時間軸上の広がりが大きく見えることがなくなり、ピークの近傍でのサンプルにおいて、入力信号及び帯域制限後のインパルス信号が異符号となる確率は低くなる。よって、最大電力対平均電力比を劣化させることなく、信号品質及び隣接チャネル漏洩電力比を向上させることができる。
【００２４】
また、本発明は、前記間隔閥値は、前記入力信号中の前記ピーク信号の平均信号間隔に基づいて設定されることを特徴とするピーク抑圧回路である。
【００２５】
この構成によれば、入力信号中のピーク信号の平均信号間隔程度に、又は、入力信号中のピーク信号の平均信号間隔以上に、間隔閥値が設定されることにより、帯域制限後のインパルス信号が時間軸上で重なり合いにくくなる。
【００２６】
また、本発明は、前記間隔閥値は、帯域制限後の１個の前記インパルス信号の時間軸上の広がりに基づいて設定されることを特徴とするピーク抑圧回路である。
【００２７】
この構成によれば、帯域制限後の１個のインパルス信号の時間軸上の広がり程度に、又は、帯域制限後の１個のインパルス信号の時間軸上の広がり以上に、間隔閥値が設定されることにより、帯域制限後のインパルス信号が時間軸上で重なり合いにくくなる。
【００２８】
また、本発明は、前記インパルス信号間引き部は、前記間隔閥値に等しい時間範囲内において、前記インパルス信号生成部が生成した前記インパルス信号が複数存在するときには、強度が最大の前記インパルス信号を抽出する一方で、その他の前記インパルス信号を間引くことを特徴とするピーク抑圧回路である。
【００２９】
この構成によれば、間隔閥値に等しい時間範囲内において、強度が最大のインパルス信号が抽出されることにより、最大電力対平均電力比を劣化させなくて済む。
【発明の効果】
【００３０】
本発明は、平均電力より高い電力のピーク信号を抑圧するピーク抑圧回路において、最大電力対平均電力比を劣化させることなく、信号品質及び隣接チャネル漏洩電力比を向上させることができる。
【図面の簡単な説明】
【００３１】
【図１】従来技術のピーク抑圧回路の構成を示す図である。
【図２】従来技術のインパルス信号の帯域制限の処理を示す図である。
【図３】本発明のピーク抑圧回路の構成を示す図である。
【図４】本発明のインパルス信号の帯域制限の処理を示す図である。
【図５】本発明のインパルス信号間引き部の構成を示す図である。
【図６】本発明のインパルス信号間引き部の処理を示す図である。
【図７】本発明のインパルス信号間引き部の処理を示す図である。
【発明を実施するための形態】
【００３２】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３３】
平均電力より高い電力のピーク信号を抑圧する本発明のピーク抑圧回路の構成を図３に示す。本発明のピーク抑圧回路Ｌは、複数キャリア周波数合成部１、ＮＣＯ発生部２、ＩＱ二乗和計算部３、ピーク信号検出部４、インパルス信号生成部５、遅延回路６、キャリア毎重み付け部７、インパルス信号帯域制限部８、遅延回路９、ピーク信号抑圧部１０、遅延回路１１、複数キャリア周波数合成部１２及びインパルス信号間引き部１３から構成される。以下では、本発明及び特許文献１の相違について、説明する。
【００３４】
インパルス信号間引き部１３は、インパルス信号生成部５から入力されたインパルス信号Ｉに対して、信号間隔が間隔閥値より広くなるように間引きを行ったインパルス信号Ｒを生成する。キャリア毎重み付け部７は、インパルス信号間引き部１３から入力されたインパルス信号Ｒに対して、（各ベースバンド信号ＩＱｎの信号強度）／（マルチキャリア信号ＩＱの信号強度）に比例する、各ベースバンド信号ＩＱｎに適用される各インパルス信号Ｒｎを計算する。遅延回路６は、複数キャリア周波数合成部１、ＩＱ二乗和計算部３、ピーク信号検出部４、インパルス信号生成部５及びインパルス信号間引き部１３での処理時間だけ、ベースバンド信号ＩＱｎをキャリア毎重み付け部７に遅延出力する。
【００３５】
インパルス信号帯域制限部８は、キャリア毎重み付け部７から入力された各インパルス信号Ｒｎに対して、各ベースバンド信号ＩＱｎの帯域の範囲内で帯域制限を行って、各ベースバンド信号ＩＱｎに適用される各インパルス信号ＬＲｎを計算する。インパルス信号帯域制限部８として、例えば、ＦＩＲ（Ｆｉｎｉｔｅ  Ｉｍｐｕｌｓｅ  Ｒｅｓｐｏｎｓｅ）フィルタを適用することができる。ピーク信号抑圧部１０は、インパルス信号帯域制限部８から入力された各インパルス信号ＬＲｎを各ベースバンド信号ＩＱｎから減算して、強度を抑圧した各ベースバンド信号ＬＩＱｎを計算する。
【００３６】
本発明のインパルス信号の帯域制限の処理を図４に示す。図４の上側に示した処理は、インパルス信号間引き部１３で実行される。図４の下側に示した処理は、インパルス信号帯域制限部８で実行される。図４の上段に示した信号は、インパルス信号Ｉである。図４の中段に示した信号は、インパルス信号Ｒである。図４の下段に示した信号は、各ベースバンド信号ＩＱｎに適用される各インパルス信号ＬＲｎである。
【００３７】
ここでは、帯域制限前のインパルス信号Ｉ（ｔ１）、Ｉ（ｔ２）、Ｉ（ｔ３）は、時間軸上で密集している。ここで、図４に示したように、インパルス信号間引き部１３は、強度が最大である帯域制限前のインパルス信号Ｉ（ｔ２）を抽出する一方で、他の帯域制限前のインパルス信号Ｉ（ｔ１）及びＩ（ｔ３）を間引くことにより、帯域制限前のインパルス信号Ｒ（ｔ２）を生成してもよい。或いは、図４に示していないが、インパルス信号間引き部１３は、強度がより小さい帯域制限前のインパルス信号Ｉ（ｔ１）（又は、Ｉ（ｔ３））を抽出する一方で、他の帯域制限前のインパルス信号Ｉ（ｔ２）及びＩ（ｔ３）（又は、Ｉ（ｔ１）及びＩ（ｔ２））を間引くことにより、帯域制限前のインパルス信号Ｒ（ｔ１）（又は、Ｒ（ｔ３））を生成してもよい。
【００３８】
すると、帯域制限前のインパルス信号Ｒ（ｔ２）（又は、Ｒ（ｔ１）、Ｒ（ｔ３））は、時間軸上での密集がない。そして、帯域制限後のインパルス信号ＬＲｎ（ｔ２）（又は、ＬＲｎ（ｔ１）、ＬＲｎ（ｔ３））は、時間軸上での重なり合いがない。ここで、ピーク信号抑圧部１０は、帯域制限後のインパルス信号ＬＲｎ（ｔ２）（又は、ＬＲｎ（ｔ１）、ＬＲｎ（ｔ３））を、ベースバンド信号ＩＱｎから減算する。
【００３９】
よって、ピーク信号抑圧部１０は、ベースバンド信号ＩＱｎ中のピーク信号を適度に抑圧するため、信号品質を劣化させる問題がない。そして、ピーク信号抑圧部１０は、帯域制限後の１個のインパルス信号ＬＲｎ（ｔ２）（又は、ＬＲｎ（ｔ１）、ＬＲｎ（ｔ３））の時間軸上の広がりが適度に見えるため、ＡＣＬＲを劣化させる問題がない。さらに、ピークの近傍でのサンプルにおいて、ベースバンド信号ＩＱｎ及び帯域制限後の１個のインパルス信号ＬＲｎ（ｔ２）（又は、ＬＲｎ（ｔ１）、ＬＲｎ（ｔ３））が異符号となる確率は低くなるため、ＰＡＰＲを劣化させる問題がない。
【００４０】
さらに、図４に図示したような、強度が最大である帯域制限前のインパルス信号Ｒ（ｔ２）が生成されるときには、図４に不図示のような、強度がより小さい帯域制限前のインパルス信号Ｒ（ｔ１）、Ｒ（ｔ３）が生成されるときより、ＰＡＰＲを劣化させない。
【００４１】
インパルス信号間引き部１３が間引きを行う基準である間隔閥値は、マルチキャリア信号ＩＱにおけるピーク信号Ｐ又はインパルス信号Ｉの平均信号間隔Δｔに基づいて設定されてもよく、帯域制限後の１個のインパルス信号ＬＲｎ（ｔ２）（又は、ＬＲｎ（ｔ１）、ＬＲｎ（ｔ３））の時間軸上の広がりＴに基づいて設定されてもよい。
【００４２】
平均信号間隔Δｔは、例えば、図４の具体例では、｛（ｔ２−ｔ１）＋（ｔ３−ｔ２）｝／２＝（ｔ３−ｔ１）／２となる。間隔閥値は、平均信号間隔Δｔ程度に、又は、平均信号間隔Δｔ以上に、設定されることが好ましい。時間軸上の広がりＴは、例えば、ＦＩＲフィルタの適用例では、タップ数に対応する遅延時間となる。間隔閥値は、時間軸上の広がりＴ程度に、又は、時間軸上の広がりＴ以上に、設定されることが好ましい。
【００４３】
本発明のインパルス信号間引き部の構成を図５に示す。本発明のインパルス信号間引き部の処理を図６、７に示す。本発明のインパルス信号間引き部１３は、検索区間カウンタ１３１、最大ピークラッチ回路１３２、遅延回路１３３及び比較０マスク回路１３４から構成される。図５では、強度が最大のインパルス信号Ｉ（ｔ）が抽出される。
【００４４】
図６では、間隔閥値に等しい検索区間において、間引き前のインパルス信号Ｉ（ｔ）（強度ａ）が１個のみ検出され、間引き後のインパルス信号Ｒ（ｔ）（強度ａ）が生成される。図７では、間隔閥値に等しい検索区間において、間引き前のインパルス信号Ｉ（ｔ）（強度ａ）が１個検出された後、間引き前のインパルス信号Ｉ（ｔ）（強度ｂ（ａ＜ｂ））が１個検出され、間引き後のインパルス信号Ｒ（ｔ）（強度ｂ）が生成される。
【００４５】
検索区間は、図４で説明したように、平均信号間隔Δｔ又は時間軸上の広がりＴに基づいて設定され、図６、７では、クロックの６周期の時間として設定される。
【００４６】
まず、図６の処理について、詳細に説明する。最大ピークラッチ回路１３２は、ピーク検出フラグをピーク信号検出部４から入力され、インパルス信号Ｉ（ｔ）（強度ａ）をインパルス信号生成部５から入力される。最大ピークラッチ回路１３２は、次のクロックの周期で、ラッチする最大ピーク値を、不定値“ＸＸ”から強度“ａ”へと更新する。
【００４７】
検索区間カウンタ１３１は、ピーク検出フラグをピーク信号検出部４から入力され、検索区間情報を不図示の検索区間設定部から入力される。検索区間カウンタ１３１は、次のクロックの周期で、検索区間カウンタ値を、終期値“５”から初期値“０”へと更新し、クロックの周期毎に、検索区間カウンタ値を、初期値“０”から始めて終期値“５”へと向けて、インクリメントする。クロックの６周期の時間が、検索区間となる。
【００４８】
最大ピークラッチ回路１３２は、検索区間カウンタ値“５”を検索区間カウンタ１３１から入力される以前でも入力された時点でも、他のインパルス信号Ｉ（ｔ）をインパルス信号生成部５から入力されない。最大ピークラッチ回路１３２は、次のクロックの周期で、ラッチする最大ピーク値を、強度“ａ”から不定値“ＸＸ”へと更新する。
【００４９】
遅延回路１３３は、ピーク検出フラグをピーク信号検出部４から入力され、インパルス信号Ｉ（ｔ）（強度ａ）をインパルス信号生成部５から入力され、検索区間情報を不図示の検索区間設定部から入力される。遅延回路１３３は、ピーク検出フラグを検索区間に等しい時間だけ遅延させて、遅延フラグを生成し、インパルス信号Ｉ（ｔ）（強度ａ）を検索区間に等しい時間だけ遅延させて、遅延信号（強度ａ）を生成する。
【００５０】
比較０マスク回路１３４は、ラッチされた最大ピーク値の情報を最大ピークラッチ回路１３２から入力され、遅延フラグ及び遅延信号を遅延回路１３３から入力される。比較０マスク回路１３４は、遅延フラグを入力された時点でのラッチされた最大ピーク値ａと、入力された遅延信号の強度ａと、を比較する。比較０マスク回路１３４は、最大ピーク値ａ及び遅延信号の強度ａが一致すると判断して、次のクロックの周期で、インパルス信号Ｒ（ｔ）（強度ａ）をキャリア毎重み付け部７に出力する。
【００５１】
次に、図７の処理について、詳細に説明する。初期の処理は、図６、７で同様である。
【００５２】
最大ピークラッチ回路１３２は、検索区間カウンタ値“４”を検索区間カウンタ１３１から入力された時点で、他のインパルス信号Ｉ（ｔ）（強度ｂ）をインパルス信号生成部５から入力される。最大ピークラッチ回路１３２は、次のクロックの周期で、ラッチする最大ピーク値を、強度“ａ”から強度“ｂ”へと更新する。検索区間カウンタ１３１は、次のクロックの周期で、最大値更新情報を最大ピークラッチ回路１３２から入力され、検索区間カウンタ値を、現状値“４”から初期値“０”へと更新し、クロックの周期毎に、検索区間カウンタ値のインクリメントを新規に開始する。
【００５３】
遅延回路１３３は、ピーク検出フラグをピーク信号検出部４から入力され、インパルス信号Ｉ（ｔ）（強度ａ）をインパルス信号生成部５から入力され、検索区間情報を不図示の検索区間設定部から入力される。遅延回路１３３は、ピーク検出フラグを検索区間に等しい時間だけ遅延させて、遅延フラグを生成し、インパルス信号Ｉ（ｔ）（強度ａ）を検索区間に等しい時間だけ遅延させて、遅延信号（強度ａ）を生成する。
【００５４】
比較０マスク回路１３４は、ラッチされた最大ピーク値の情報を最大ピークラッチ回路１３２から入力され、遅延フラグ及び遅延信号を遅延回路１３３から入力される。比較０マスク回路１３４は、遅延フラグを入力された時点でのラッチされた最大ピーク値ｂと、入力された遅延信号の強度ａと、を比較する。比較０マスク回路１３４は、最大ピーク値ｂ及び遅延信号の強度ａが一致しないと判断して、次のクロックの周期で、インパルス信号Ｒ（ｔ）（強度ａ）に対して、０マスク処理を行う。
【００５５】
最大ピークラッチ回路１３２は、検索区間カウンタ値“５”を検索区間カウンタ１３１から入力される以前でも入力された時点でも、他のインパルス信号Ｉ（ｔ）をインパルス信号生成部５から入力されない。最大ピークラッチ回路１３２は、次のクロックの周期で、ラッチする最大ピーク値を、強度“ｂ”から不定値“ＸＸ”へと更新する。
【００５６】
遅延回路１３３は、ピーク検出フラグをピーク信号検出部４から入力され、インパルス信号Ｉ（ｔ）（強度ｂ）をインパルス信号生成部５から入力され、検索区間情報を不図示の検索区間設定部から入力される。遅延回路１３３は、ピーク検出フラグを検索区間に等しい時間だけ遅延させて、遅延フラグを生成し、インパルス信号Ｉ（ｔ）（強度ｂ）を検索区間に等しい時間だけ遅延させて、遅延信号（強度ｂ）を生成する。
【００５７】
比較０マスク回路１３４は、ラッチされた最大ピーク値の情報を最大ピークラッチ回路１３２から入力され、遅延フラグ及び遅延信号を遅延回路１３３から入力される。比較０マスク回路１３４は、遅延フラグを入力された時点でのラッチされた最大ピーク値ｂと、入力された遅延信号の強度ｂと、を比較する。比較０マスク回路１３４は、最大ピーク値ｂ及び遅延信号の強度ｂが一致すると判断して、次のクロックの周期で、インパルス信号Ｒ（ｔ）（強度ｂ）をキャリア毎重み付け部７に出力する。
【００５８】
以上の実施形態では、ピーク抑圧回路Ｌは、マルチキャリア信号を出力しているが、以下の変形例として、ピーク抑圧回路Ｌは、シングルキャリア信号を出力してもよい。このとき、複数キャリア周波数合成部１、キャリア毎重み付け部７及び複数キャリア周波数合成部１２は不要である。そして、ＮＣＯ発生部２、遅延回路６、インパルス信号帯域制限部８、遅延回路９、ピーク信号抑圧部１０及び遅延回路１１は、マルチキャリア信号に対応する必要はなく、シングルキャリア信号に対応できればよい。
【産業上の利用可能性】
【００５９】
本発明に係るピーク抑圧回路は、マルチキャリア信号又はシングルキャリア信号の送信装置において、平均電力より高い電力のピーク信号を抑圧するにあたり、ＰＡＰＲを劣化させることなく、信号品質及びＡＣＬＲを向上させる。
【符号の説明】
【００６０】
Ｌ：ピーク抑圧回路
１：複数キャリア周波数合成部
２：ＮＣＯ発生部
３：ＩＱ二乗和計算部
４：ピーク信号検出部
５：インパルス信号生成部
６：遅延回路
７：キャリア毎重み付け部
８：インパルス信号帯域制限部
９：遅延回路
１０：ピーク信号抑圧部
１１：遅延回路
１２：複数キャリア周波数合成部
１３：インパルス信号間引き部
１３１：検索区間カウンタ
１３２：最大ピークラッチ回路
１３３：遅延回路
１３４：比較０マスク回路
【図１】
2014027342.tif 000003
【図２】
2014027342.tif 000004
【図３】
2014027342.tif 000005
【図４】
2014027342.tif 000006
【図５】
2014027342.tif 000007
【図６】
2014027342.tif 000008
【図７】
2014027342.tif 000009